【事件の表示】
　平成　９年特許願第１８８７５１号「ディスク・ドライブ装置及びこれの制御方法」拒絶査定に対する審判事件〔平成１１年　２月１２日出願公開、特開平１１−　３９７７７、請求項の数（１８）〕について、次のとおり審決する。
【結　論】
　原査定を取り消す。
　本願の発明は、特許すべきものとする。
【理　由】
１．手続の経緯及び本願発明
　本願は、平成９年７月１４日の出願であって、その請求項１乃至１８に係る発明は、平成９年１０月３０日付及び平成１３年１１月２０日付の各手続補正書により補正された明細書及び図面の記載からみて、その特許請求の範囲の請求項1乃至１８に記載された事項により特定される次のとおりのものと認る。（以下「本願発明」という。）
「【請求項１】
　駆動モータにより回転されるデータ記録ディスク及びメモリを有し、そしてホスト・プロセッサに接続されたディスク・ドライブ装置を制御する方法において、
（ａ）上記ディスク・ドライブ装置のパワー・オンに応答して上記データ記録ディスクの回転を開始し、そして該データ記録ディスクの回転速度を増大するステップと、
（ｂ）上記データ記録ディスクの回転速度が通常の読み取り／書き込み動作のための最終回転速度よりも低く且つ上記データ記録ディスクからの読み取りができるようになる中間回転速度に達したことを検出するステップと、
（ｃ）上記データ記録ディスクの回転速度を上記中間回転速度に固定するステップと、
（ｄ）上記回転速度を上記中間回転速度に固定している間に、上記データ記録ディスクに記録されている制御プログラムを読み取り該制御プログラムを上記メモリに記憶し、そして準備完了信号を上記ホスト・プロセッサに送るステップと、
（ｅ）上記ホスト・プロセッサからの読み取りコマンドの受け取りを検出し、上記データ記録ディスクからデータを読み出して該データを上記ホスト・プロセッサに転送するステップと、
（ｆ）上記データ記録ディスクの回転速度を上記中間回転速度から上記最終回転速度に向けて増大するステップと、
（ｇ）上記データ記録ディスクの回転速度が上記最終回転速度に達したことを検出し、上記ディスク・ドライブ装置の上記通常の読み取り／書き込み動作を開始するステップとを含み、
　上記準備完了信号を上記ホスト・プロセッサに送ってから上記データ記録ディスクの回転速度が上記最終回転速度に達するまでに上記ホスト・プロセッサから書込みコマンドと共に送られてきたデータは、上記メモリに保持され、上記最終回転速度に達した後に上記データ記録ディスクに書き込まれることを特徴とするディスク・ドライブ装置の制御方法。
【請求項２】
　上記ステップ（ｅ）は、
　上記データ記録ディスクから上記データを読み出すステップと、
　上記データがエラーを含むか否かを調べるステップと、
　上記データが上記エラーを含まなければ、上記データを上記ホスト・プロセッサに転送するステップとを含み、
　上記データがエラーを含むならば、上記データの転送ステップは行われず、そして上記読み取りステップが上記通常の読み取り／書き込み動作において再試行されることを特徴とする請求項１に記載のディスク・ドライブ装置の制御方法。
【請求項３】
　駆動モータにより回転されるデータ記録ディスク及びメモリを有し、そしてホスト・プロセッサに接続されたディスク・ドライブ装置を制御する方法において、
（ａ）上記ディスク・ドライブ装置のパワー・オンに応答して上記データ記録ディスクの回転を開始し、そして該データ記録ディスクの回転速度を増大するステップと、
（ｂ）上記データ記録ディスクの回転速度が通常の読み取り／書き込み動作のための最終回転速度よりも低く且つ上記データ記録ディスクからの読み取りができるようになる第１中間回転速度に達したことを検出するステップと、
（ｃ）上記データ記録ディスクの回転速度を上記第１中間回転速度に固定するステップと、
（ｄ）上記回転速度を上記第１中間回転速度に固定している間に、上記データ記録ディスクに記録されている制御プログラムを読み取り該制御プログラムを上記メモリに記憶し、そして準備完了信号を上記ホスト・プロセッサに送るステップと、
（ｅ）上記ホスト・プロセッサからの読み取りコマンドの受け取りを検出し、上記データ記録ディスクからデータを読み出して該データを上記ホスト・プロセッサに転送するステップと、
（ｆ）上記データ記録ディスクの回転速度を上記第１中間回転速度から増大するステップと、
（ｇ）上記データ記録ディスクの回転速度が上記最終回転速度よりも低い第２中間回転速度に達したことを検出するステップと、
（ｈ）上記データ記録ディスクの回転速度を上記第２中間回転速度に固定するステップと、
（ｉ）上記回転速度を上記第２中間回転速度に固定している間に、上記ホスト・プロセッサからの読み取りコマンドの受け取りを検出し、上記データ記録ディスクからデータを読み出して該データを上記ホスト・プロセッサに転送するステップと、
（ｊ）上記データ記録ディスクの回転速度を上記第２中間回転速度から上記最終回転速度に向けて増大するステップと、
（ｋ）上記データ記録ディスクの回転速度が上記最終回転速度に達したことを検出し、上記ディスク・ドライブ装置の上記通常の読み取り／書き込み動作を開始するステップとを含み、
　上記準備完了信号を上記ホスト・プロセッサに送ってから上記データ記録ディスクの回転速度が上記最終回転速度に達するまでに上記ホスト・プロセッサから書込みコマンドと共に送られてきたデータは、上記メモリに保持され、上記最終回転速度に達した後に上記データ記録ディスクに書き込まれることを特徴とするディスク・ドライブ装置の制御方法。
【請求項４】
　上記ステップ（ｅ）が、
　上記データ記録ディスクから上記データを読み出すステップと、
　上記データがエラーを含むか否かを調べるステップと、
　上記データが上記エラーを含まなければ、上記データを上記ホスト・プロセッサに転送するステップとを含み、
　上記データがエラーを含むならば、上記データの転送ステップは行われず、そして上記読み取りステップが、上記データ記録ディスクが上記第２中間回転速度で回転されている期間に再試行されることを特徴とする請求項３に記載のディスク・ドライブ装置の制御方法。
【請求項５】
　上記ステップ（ｉ）が、
　上記データ記録ディスクから上記データを読み出すステップと、
　上記データがエラーを含むか否かを調べるステップと、
　上記データが上記エラーを含まなければ、上記データを上記ホスト・プロセッサに転送するステップとを含み、
　上記データがエラーを含むならば、上記データの転送ステップは行われず、そして上記読み取りステップが、上記通常の読み取り／書き込み動作において再試行されることを特徴とする請求項４に記載のディスク・ドライブ装置の制御方法。
【請求項６】
　駆動モータにより回転されるデータ記録ディスク及びメモリを有し、そしてホスト・プロセッサに接続されたディスク・ドライブ装置を制御する方法において、
（ａ）上記ディスク・ドライブ装置のパワー・オンに応答して上記データ記録ディスクの回転を開始し、そして該データ記録ディスクの回転速度を増大するステップと、
（ｂ）上記データ記録ディスクの回転速度が通常の読み取り／書き込み動作のための最終回転速度よりも低く且つ上記データ記録ディスクからの読み取りができるようになる中間回転速度に達したことを検出するステップと、
（ｃ）上記データ記録ディスクの回転速度を上記中間回転速度に固定するステップと、
（ｄ）上記回転速度を上記中間回転速度に固定している間に、上記データ記録ディスクに記録されている制御プログラムを読み取り該制御プログラムを上記メモリに記憶し、そして準備完了信号を上記ホスト・プロセッサに送るステップと、
（ｅ）上記ホスト・プロセッサからの読み取りコマンドの受け取りを検出し、上記データ記録ディスクからデータを読み出して該データを上記ホスト・プロセッサに転送するステップと、
（ｆ）上記ホスト・プロセッサからの書き込みコマンド及びデータの受け取りを検出するステップと、
（ｇ）上記ステップ（ｆ）で受け取られた上記データを上記メモリに記憶し、コマンド終了信号を上記ホスト・プロセッサに送るステップと、
（ｈ）上記データ記録ディスクの回転速度を上記中間回転速度から上記最終回転速度に向けて増大するステップと、
（ｉ）上記データ記録ディスクの回転速度が上記最終回転速度に達したことを
検出し、上記ディスク・ドライブ装置の上記通常の読み取り／書き込み動作を開始し、そして上記メモリに記憶されている上記データを上記データ記録ディスクに書き込むステップとを含む、ディスク・ドライブ装置の制御方法。
【請求項７】
　上記ステップ（ｅ）は、
　上記データ記録ディスクから上記データを読み出すステップと、
　上記データがエラーを含むか否かを調べるステップと、
　上記データが上記エラーを含まなければ、上記データを上記ホスト・プロセッサに転送するステップとを含み、
　上記データがエラーを含むならば、上記データの転送ステップは行われず、そして上記読み取りステップが上記通常の読み取り／書き込み動作において再試行されることを特徴とする請求項６に記載のディスク・ドライブ装置の制御方法。
【請求項８】
　駆動モータにより回転されるデータ記録ディスク及びメモリを有し、そしてホスト・プロセッサに接続されたディスク・ドライブ装置を制御する方法において、
（ａ）上記ディスク・ドライブ装置のパワー・オンに応答して上記データ記録ディスクの回転を開始し、そして該データ記録ディスクの回転速度を増大するステップと、
（ｂ）上記データ記録ディスクの回転速度が通常の読み取り／書き込み動作のための最終回転速度よりも低く且つ上記データ記録ディスクからの読み取りができるようになる中間回転速度に達したことを検出するステップと、
（ｃ）上記回転速度が上記中間回転速度に達した後に、上記データ記録ディスクに記録されている制御プログラムを読み取り該制御プログラムを上記メモリに記憶し、そして準備完了信号を上記ホスト・プロセッサに送るステップと、
（ｄ）上記データ記録ディスクの回転速度を上記中間回転速度から上記最終回転速度に向けて増大するステップと、
（ｅ）上記回転速度を増大している間に上記ホスト・プロセッサからの読み取りコマンドの受け取りを検出し、上記データ記録ディスクからデータを読み出して該データを上記ホスト・プロセッサに転送するステップと、
（ｆ）上記データ記録ディスクの回転速度が上記最終回転速度に達したことを検出し、上記ディスク・ドライブ装置の上記通常の読み取り／書き込み動作を開始するステップとを含み、
　上記準備完了信号を上記ホスト・プロセッサに送ってから上記データ記録ディスクの回転速度が上記最終回転速度に達するまでに上記ホスト・プロセッサから書込みコマンドと共に送られてきたデータは、上記メモリに保持され、上記最終回転速度に達した後に上記データ記録ディスクに書き込まれることを特徴とするディスク・ドライブ装置の制御方法。
【請求項９】
　上記ステップ（ｅ）は、
　上記データ記録ディスクから上記データを読み出すステップと、
　上記データがエラーを含むか否かを調べるステップと、
　上記データが上記エラーを含まなければ、上記データを上記ホスト・プロセッサに転送するステップとを含み、
　上記データがエラーを含むならば、上記データの転送ステップは行われず、そして上記読み取りステップが上記通常の読み取り／書き込み動作において再試行されることを特徴とする請求項８に記載のディスク・ドライブ装置の制御方法。
【請求項１０】
　駆動モータにより回転されるデータ記録ディスク及びメモリを有し、そしてホスト・プロセッサに接続されたディスク・ドライブ装置において、
（ａ）上記ディスク・ドライブ装置のパワー・オンに応答して上記データ記録ディスクの回転を開始し、そして該データ記録ディスクの回転速度を増大する手段と、
（ｂ）上記データ記録ディスクの回転速度が通常の読み取り／書き込み動作のための最終回転速度よりも低く且つ上記データ記録ディスクからの読み取りができるようになる中間回転速度に達したことを検出する手段と、
（ｃ）上記データ記録ディスクの回転速度を上記中間回転速度に固定する手段と、
（ｄ）上記回転速度を上記中間回転速度に固定している間に、上記データ記録
ディスクに記録されている制御プログラムを読み取り該制御プログラムを上記メモリに記憶し、そして準備完了信号を上記ホスト・プロセッサに送る手段と、
（ｅ）上記ホスト・プロセッサからの読み取りコマンドの受け取りを検出し、上記データ記録ディスクからデータを読み出して該データを上記ホスト・プロセッサに転送する手段と、
（ｆ）上記データ記録ディスクの回転速度を上記中間回転速度から上記最終回転速度に向けて増大する手段と、
（ｇ）上記データ記録ディスクの回転速度が上記最終回転速度に達したことを検出し、上記ディスク・ドライブ装置の上記通常の読み取り／書き込み動作を開始する手段とを含み、
　上記準備完了信号を上記ホスト・プロセッサに送ってから上記データ記録ディスクの回転速度が上記最終回転速度に達するまでに上記ホスト・プロセッサから書込みコマンドと共に送られてきたデータは、上記メモリに保持され、上記最終回転速度に達した後に上記データ記録ディスクに書き込まれることを特徴とするディスク・ドライブ装置。
【請求項１１】
　上記手段（ｅ）は、
　上記データ記録ディスクから上記データを読み出す手段と、
　上記データがエラーを含むか否かを調べる手段と、
　上記データが上記エラーを含まなければ、上記データを上記ホスト・プロセッサに転送する手段とを含み、
　上記データがエラーを含むならば、上記転送手段の動作は行われず、そして上記読み取り手段の動作が上記通常の読み取り／書き込み動作において再試行されることを特徴とする請求項１０に記載のディスク・ドライブ装置。
【請求項１２】
　駆動モータにより回転されるデータ記録ディスク及びメモリを有し、そしてホスト・プロセッサに接続されたディスク・ドライブ装置において、
（ａ）上記ディスク・ドライブ装置のパワー・オンに応答して上記データ記録ディスクの回転を開始し、そして該データ記録ディスクの回転速度を増大する手段と、
（ｂ）上記データ記録ディスクの回転速度が通常の読み取り／書き込み動作のための最終回転速度よりも低く且つ上記データ記録ディスクからの読み取りができるようになる第１中間回転速度に達したことを検出する手段と、
（ｃ）上記データ記録ディスクの回転速度を上記第１中間回転速度に固定する手段と、
（ｄ）上記回転速度を上記第１中間回転速度に固定している間に、上記データ記録ディスクに記録されている制御プログラムを読み取り該制御プログラムを上記メモリに記憶し、そして準備完了信号を上記ホスト・プロセッサに送る手段と、
（ｅ）上記ホスト・プロセッサからの読み取りコマンドの受け取りを検出し、上記データ記録ディスクからデータを読み出して該データを上記ホスト・プロセッサに転送する手段と、
（ｆ）上記データ記録ディスクの回転速度を上記第１中間回転速度から増大する手段と、
（ｇ）上記データ記録ディスクの回転速度が上記最終回転速度よりも低い第２中間回転速度に達したことを検出する手段と、
（ｈ）上記データ記録ディスクの回転速度を上記第２中間回転速度に固定する手段と、
（ｉ）上記回転速度を上記第２中間回転速度に固定している間に、上記ホスト・プロセッサからの読み取りコマンドの受け取りを検出し、上記データ記録ディスクからデータを読み出して該データを上記ホスト・プロセッサに転送する手段と、
（ｊ）上記データ記録ディスクの回転速度を上記第２中間回転速度から上記最終回転速度に向けて増大する手段と、
（ｋ）上記データ記録ディスクの回転速度が上記最終回転速度に達したことを検出し、上記ディスク・ドライブ装置の上記通常の読み取り／書き込み動作を開始する手段とを含み、
　上記準備完了信号を上記ホスト・プロセッサに送ってから上記データ記録ディスクの回転速度が上記最終回転速度に達するまでに上記ホスト・プロセッサから書込みコマンドと共に送られてきたデータは、上記メモリに保持され、上記最終回転速度に達した後に上記データ記録ディスクに書き込まれることを特徴とするディスク・ドライブ装置。
【請求項１３】
　上記手段（ｅ）が、
　上記データ記録ディスクから上記データを読み出す手段と、
　上記データがエラーを含むか否かを調べる手段と、
　上記データが上記エラーを含まなければ、上記データを上記ホスト・プロセッサに転送する手段とを含み、
　上記データがエラーを含むならば、上記転送手段の動作は行われず、そして上記読み取り手段の動作が、上記データ記録ディスクが上記第２中間回転速度で回転されている期間に再試行されることを特徴とする請求項１２に記載のディスク・ドライブ装置。
【請求項１４】
　上記手段（ｉ）が、
　上記データ記録ディスクから上記データを読み出す手段と、
　上記データがエラーを含むか否かを調べる手段と、
　上記データが上記エラーを含まなければ、上記データを上記ホスト・プロセッサに転送する手段とを含み、
　上記データがエラーを含むならば、上記転送手段の動作は行われず、そして上記読み取り手段の動作が、上記通常の読み取り／書き込み動作において再試行されることを特徴とする請求項１３に記載のディスク・ドライブ装置。
【請求項１５】
　駆動モータにより回転されるデータ記録ディスク及びメモリを有し、そしてホスト・プロセッサに接続されたディスク・ドライブ装置において、
（ａ）上記ディスク・ドライブ装置のパワー・オンに応答して上記データ記録ディスクの回転を開始し、そして該データ記録ディスクの回転速度を増大する手段と、
（ｂ）上記データ記録ディスクの回転速度が通常の読み取り／書き込み動作のための最終回転速度よりも低く且つ上記データ記録ディスクからの読み取りができるようになる中間回転速度に達したことを検出する手段と、
（ｃ）上記データ記録ディスクの回転速度を上記中間回転速度に固定する手段と、
（ｄ）上記回転速度を上記中間回転速度に固定している間に、上記データ記録ディスクに記録されている制御プログラムを読み取り該制御プログラムを上記メモリに記憶し、そして準備完了信号を上記ホスト・プロセッサに送る手段と、
（ｅ）上記ホスト・プロセッサからの読み取りコマンドの受け取りを検出し、上記データ記録ディスクからデータを読み出して該データを上記ホスト・プロセッサに転送する手段と、
（ｆ）上記ホスト・プロセッサからの書き込みコマンド及びデータの受け取りを検出する手段と、
（ｇ）上記手段（ｆ）で受け取られた上記データを上記メモリに記憶し、コマンド終了信号を上記ホスト・プロセッサに送る手段と、
（ｈ）上記データ記録ディスクの回転速度を上記中間回転速度から上記最終回転速度に向けて増大する手段と、
（ｉ）上記データ記録ディスクの回転速度が上記最終回転速度に達したことを検出し、上記ディスク・ドライブ装置の上記通常の読み取り／書き込み動作を開始し、そして上記メモリに記憶されている上記データを上記データ記録ディスクに書き込む手段とを含む、ディスク・ドライブ装置。
【請求項１６】
　上記手段（ｅ）は、
　上記データ記録ディスクから上記データを読み出す手段と、
　上記データがエラーを含むか否かを調べる手段と、
　上記データが上記エラーを含まなければ、上記データを上記ホスト・プロセッサに転送する手段とを含み、
　上記データがエラーを含むならば、上記転送手段の動作は行われず、そして上記読み取り手段の動作が上記通常の読み取り／書き込み動作において再試行されることを特徴とする請求項１５に記載のディスク・ドライブ装置。
【請求項１７】
　駆動モータにより回転されるデータ記録ディスク及びメモリを有し、そしてホスト・プロセッサに接続されたディスク・ドライブ装置において、
（ａ）上記ディスク・ドライブ装置のパワー・オンに応答して上記データ記録ディスクの回転を開始し、そして該データ記録ディスクの回転速度を増大する手段と、
（ｂ）上記データ記録ディスクの回転速度が通常の読み取り／書き込み動作のための最終回転速度よりも低く且つ上記データ記録ディスクからの読み取りができるようになる中間回転速度に達したことを検出する手段と、
（ｃ）上記回転速度が上記中間回転速度に達した後に、上記データ記録ディスクに記録されている制御プログラムを読み取り該制御プログラムを上記メモリに記憶し、そして準備完了信号を上記ホスト・プロセッサに送る手段と、
（ｄ）上記データ記録ディスクの回転速度を上記中間回転速度から上記最終回転速度に向けて増大する手段と、
（ｅ）上記回転速度を増大している間に、上記ホスト・プロセッサからの読み取りコマンドの受け取りを検出し、上記データ記録ディスクからデータを読み出して該データを上記ホスト・プロセッサに転送する手段と、
（ｆ）上記データ記録ディスクの回転速度が上記最終回転速度に達したことを検出し、上記ディスク・ドライブ装置の上記通常の読み取り／書き込み動作を開始する手段とを含み、
　上記準備完了信号を上記ホスト・プロセッサに送ってから上記データ記録ディスクの回転速度が上記最終回転速度に達するまでに上記ホスト・プロセッサから書込みコマンドと共に送られてきたデータは、上記メモリに保持され、上記最終回転速度に達した後に上記データ記録ディスクに書き込まれることを特徴とするディスク・ドライブ装置。
【請求項１８】
　上記手段（ｅ）は、
　上記データ記録ディスクから上記データを読み出す手段と、
　上記データがエラーを含むか否かを調べる手段と、
　上記データが上記エラーを含まなければ、上記データを上記ホスト・プロセッサに転送する手段とを含み、
　上記データがエラーを含むならば、上記データの転送手段の動作は行われず、そして上記読み取り手段の動作が上記通常の読み取り／書き込み動作において再試行されることを特徴とする請求項１７に記載のディスク・ドライブ装置。」
　
２．引用刊行物及びその記載
　これに対し、原査定の拒絶理由で、引用された刊行物は、
（１）「ＣＤ−ＲＯＭドライブ　ＤＭ−３０２８　ＤＭ−５０２８　取扱説明書」，ｐ．１８，プレクスター株式会社，平成６年２月（以下「引用刊行物１」という。）
（２）「PLEXTOR PX-43CH Internal CD-ROM Drive / PX-45CH External CD-ROM Drive Operation Manual」 p.48, First Edition, June 1994, Plextor Corp.（以下「引用刊行物２」という。）
（３）実願昭６１−１４３１３７号（実開昭６３−０４９６５３号）のマイクロフィルム（以下「引用刊行物３」という。）
であって、それぞれの記載は以下のとおりである。
　引用刊行物１には、ＣＤ−ＲＯＭドライブに備えられた各種スイッチの設定について記載されており、Ａｕｔｏ（自動）なるスイッチがＯＮになっている場合には、先ず倍速で読み取りを試み、ディスクの欠陥等で、うまく読み取れない場合には、ドライブが自動的に標準速度に切り替わる旨が記載されている。
　引用刊行物２には、ＣＤ−ＲＯＭのトラブル発生時の処理について記載されている。
　なお、同刊行物の第１７頁に、ＣＤ−ＲＯＭドライブに備えられたＡｕｔｏなるスイッチがＯＮのとき、最初に４倍速でディスクを読み取り、読み取りが成功しないとき自動的に２倍速で読み取り、更に読み取りが成功しないとき標準速度に切り替わる旨の記載がある。
　引用刊行物３には、ハードディスク上のセクタに、ディスクドライブの制御プログラムの全部又は一部を記録すると共に、障害セクタの位置情報をハードディスクに記録した磁気ディスク装置に関する発明が記載されている。
　又、拒絶査定の備考において、特開平２−９４０６３号公報、前置審査の報告書において、特公昭４１−１１６２号公報がそれぞれ周知例として引用されているが、前者には、記録媒体から読み取られたデータのエラー値が所定の限度エラー値を越えない値となるように読み取り速度を設定するようにした記録データ読取り方式に関する発明が、後者には、データを循環貯蔵装置間で転送するための改良された装置を提供するとしてなされたデータ記録及び再生装置に関する発明がそれぞれ記載されている。
　
３．対比・判断
　本願請求項１乃至１８に係る各発明は、いずれも、通常の読み取り／書き込み動作を行なう最終回転速度に至る中間回転速度にデータ記録ディスクの回転速度を固定し、固定中にデータ記録ディスクから制御プログラムを読み取り、メモリに記憶し、ホスト・プロセッサへ準備完了信号を送る点、準備完了信号を送った後の、中間回転速度固定中、又は回転速度の増大中に、ホスト・プロセッサからの読み取りコマンドを受けたとき、データ記録ディスクからデータを読み取り、読み取ったデータをホスト・プロセッサへ転送する点、準備完了信号を送った後の、中間回転速度固定中、又は回転速度の増大中に、ホスト・プロセッサからの書き込みコマンド及びデータを受けたとき、受け取ったデータをメモリに記憶・保持し、ディスクの回転速度が最終回転速度に達した後にメモリに保持されたデータをデータ記録ディスクに書き込む点を特徴点として含むものである。
　しかしながら、上記各引用刊行物には、いずれにも、これらの各特徴点について、これを示唆する記載は見いだせない。
　そして本願各請求項に係る発明は、この構成を有することによりパワーオンから準備完了までの時間を短縮できるという、明細書に記載の効果を奏するものと認められる。
　したがって、本願請求項１乃至１８に係る各発明は、いずれも、上記各引用刊行物記載の発明に基づいて当業者が容易に発明し得たとすることはできない。
　
４．むすび
　以上のとおりであるから、本願は原査定の理由及び証拠によっては拒絶することができない。
　また、他に本願を拒絶すべき理由を発見しない。
　よって、結論のとおり審決する。